(57)【特許請求の範囲】
【請求項１】
容器本体(10)と、
前記容器本体(10)を開閉する容器ふた(20)と、
前記容器本体(10)の内側に組み付けられ、ボタン(32)が形成されたボタンフレーム(30)と、
前記容器本体(10)にヒンジ接続され、回転ホール(44)が形成された支持体(40)と、
回転軸(54)が形成され、前記支持体(40)の内側に、回動回動可能に組み付けられる回転フレーム(50)と、
前記回転フレーム(50)の内側に、固定して組み付けられる内容物容器(60)と、
前記の内容物容器(60)の内部に受け入れられ、化粧料が含浸された含浸部材(70)と、を含み、
前記ボタンフレーム(30)には第１掛け止め突起(36)が形成され、上記回転フレーム(50)には第2掛け止め突起(56)が形成され、前記支持体(40)を持ち上げれば、第２掛け止め突起(56)が第１掛け止め突起(36)に掛け止めされて、前記回転フレーム(50)が自動的に一定の角度だけ回転することを特徴とする、内容物容器を回転できるコンパクト容器。
【請求項２】
前記容器本体(10)の底壁には取っ手挿入凹部(14)が形成され、前記ボタンフレーム(30)の底壁には取っ手挿入ホール(34)が形成されることを特徴とする、請求項１に記載の内容物容器を回転できるコンパクト容器。
【請求項３】
前記回転フレーム(50)の上部及び下部には、それぞれ、第１取っ手(512)が形成された第１内容物ふた(51)、及び、第２取っ手(522)が形成された第２内容物ふた(52)が組み付けられるとともに、前記第１及び第２取っ手(512,522)のいずれか一方は、ボタンフレーム(30)の取っ手挿入ホール(34)を貫いて容器本体(10)の取っ手挿入凹部(14)に挿入されることを特徴とする、請求項１に記載の内容物容器を回転できるコンパクト容器。
【請求項４】
前記回転フレーム(50)の側面は、回転フレーム(40)が支持体(30)の内側で容易に回転できるように、断面が円弧状またはアーチ状の膨出面をなしていることを特徴とする、請求項１に記載の内容物容器を回転できるコンパクト容器。
【請求項５】
前記の内容物容器(60)の内部に仕切り(63)が形成され、前記内容物容器(60)の内部空間を、第1空間(61)と第2空間(62)とに分割していることを特徴とする、請求項１に記載の内容物容器を回転できるコンパクト容器。
【発明の詳細な説明】
【技術分野】
【０００１】
本発明は、内容物容器を回転させて裏返すことができるコンパクト容器に関する。詳しくは、容器本体の内部に、ボタンが一体に形成されたボタンフレームを組み付け、上記容器本体の内側に支持体をヒンジ接続し、上記支持体の内側に回転フレームを回転可能に組み付け、上記回転フレームの内側に含浸部材が内蔵された内容物容器を、互いに位置が固定されるように組み付けるとともに、上記ボタンフレームと回転フレームに第１及び第２の掛け止め突起を形成して掛け止めされるようにすることによって、上記の内容物容器を回転させるために容器本体から支持体を持ち上げた際には、上記回転フレームの第２掛け止め突起がボタンフレームの第１掛け止め突起に掛け止めされることで、上記回転フレームが自動的に一定の角度だけ回転するようにし、使用の利便性を向上させた内容物容器を回転させて裏返すことができるコンパクト容器に関する。
【背景技術】
【０００２】
化粧品は、人体の外見を美くし容貌の欠点をカバーして魅力的に見えるようにしたり、皮膚、毛髪などの健康を維持するのに使われる物質であり、大きくは、基礎化粧品、色調化粧品および機能性化粧品に分けられる。
【０００３】
上記色調化粧品は、皮膚に栄養分を供給する基礎化粧品とは異なり、顔料が含まれ、皮膚の色調トーン(tone)を調整して審美性を向上させる。
【０００４】
上記色調化粧品は、皮膚の色を均一にして欠点をカバーするために使われるベース・メーキャップと、唇、目、爪など部分的に立体感を高めるポイント・メーキャップとに区分される。一般的に、上記ベース・メーキャップは、メーキャップベース、ファウンデーション、パウダーなどに分けられて、ポイント・メーキャップは、リップスティック、アイライナー、マスカラなどに分けられる。
【０００５】
上記ファウンデーションは、化粧料の形態により、固形ファウンデーション、液状ファウンデーション、ゲル状ファウンデーションに区分され、固形ファウンデーションの場合、カバー力は高いが修正化粧時に、凝集してしまうという短所がある。液状ファウンデーションの場合、密着感は良いが持続力が弱いという短所がある。これに伴い、相当な持続力を持っており、かつ、皮膚に塗布した際に密着感が良いゲル状ファウンデーションを好む消費者が、最近、多くなっている。
【０００６】
上記ゲル状ファウンデーションは、一般的に、ガラス容器や、チューブ容器に充填して、使用時に使用者が手に付けて取り出したり絞り出したりすることで、パフや手を用いて皮膚に塗布する方式で使われていた。
【０００７】
しかし、このような従来技術の方式であると、使用者は、使用時ごとに手に化粧料が付くので、毎度手を洗わなければならないという、使用上不便な問題点があった。また、上記のように化粧料が付いた手を洗うにつれて化粧料が失われるという問題点があった。
【０００８】
上記のような問題点を解決するために、大韓民国登録特許第10-1257628号に、図１に示すコンパクト容器が開示された。これは、発泡ウレタン・フォームを内蔵し、この発泡ウレタン・フォームにゲル状ファウンデーションを含浸させた形態のものである。
【０００９】
上記のコンパクト容器を使う際には、パフで発泡ウレタン・フォームに含浸されたゲル状ファウンデーションをとって皮膚に塗るのである。ところが、上記発泡ウレタン・フォームに含浸されたゲル状ファウンデーションを使うならば発泡ウレタン・フォームの下の部分に含浸されたゲル状ファウンデーションはまだ残っているにも関わらず発泡ウレタン・フォームの上部にあったゲル状ファウンデーションが減ることで、発泡ウレタン・フォームの表面が乾燥することとなり、最終的にはカチカチに固まってしまって、これ以上ゲル状ファウンデーションの内容物を、パフなどでとって塗ることができなくなるという問題点があった。
【００１０】
これに伴い、使用者は表面が固まってしまった発泡ウレタン・フォームをコンパクト・ケースから取り出した後、ひっくり返してコンパクト ケースに再び差し込むことで、発泡ウレタン・フォームの下の部分に残っていたゲル状ファウンデーションを使う必要があるという不便さがあった。
【００１１】
上記のような問題点を解決するために、本件出願人は、大韓民国登録実用新案第20-0476245号で、図２に示すような化粧品用コンパクト・ケースを出願して開示した。
【００１２】
この従来技術の化粧品用コンパクト・ケースは、ケース本体(1)とふた(2)とがヒンジ(h)でもって接続され、化粧品内容物受け入れ体(3)が上記ヒンジ(h)に組み付けられ、上記化粧品内容物受け入れ体(3)は、フレーム(4)と、上記フレーム(4)の内側に、回転できるように組みつけられた回転ユニット(5)とから構成される。上記回転ユニット(5)の上部及び下部には、第１及び第２のふた(6)(7)がヒンジ接続されて、内部にはゲル状ファウンデーションが含浸された発泡ウレタン・フォームが内蔵されている。
【００１３】
この化粧品用コンパクト・ケースでは、発泡ウレタン・フォームの下の方に残っていたゲル状ファウンデーションが、発泡ウレタン・フォームの上側に位置するように回転ユニット(5)を回し、化粧品内容物受け入れ体(3)に装着した後、上記発泡ウレタン・フォームに残っているゲル状ファウンデーションの残量を使うのである。
【００１４】
しかし、この従来技術では、回転ユニット(5)を回転させるために、ケース本体(1)からフレーム(4)を持ち上げた後、回転ユニット(5)の上部一側を指で押すことで上記回転ユニット(5)がフレーム(4)から一定の角度に回転するようにした後、上記回転ユニット(5)を掴（つか）んでひっくり返さなければならないという不便さがあった。
【００１５】
また、この従来技術では、回転ユニット(5)の上部及び下部に組み付けられた第１及び第２のふた(6)(7)の一側に、それぞれ取っ手が突出形成されており、ケース本体(1)と回転ユニット(5)との間に、空いた空間が形成されている。これにより、ケース本体(1)の内部空間の活用において非効率であるという問題があった。
【先行技術文献】
【特許文献】
【００１６】
【特許文献１】韓国登録特許第10-1257628号明細書
【特許文献２】韓国登録実用新案第20-0476245号明細書
【発明の概要】
【発明が解決しようとする課題】
【００１７】
本発明は、上記のような問題点を解決するために案出されたものであり、容器本体内部に、ボタンが一体に形成されたボタンフレームを組み付け、上記容器本体の内側に支持体をヒンジ接続し、上記支持体の内側に回転フレームを回転可能に組み付け、上記回転フレームの内側に含浸部材が内蔵された内容物容器を固定させて組み付けるとともに、上記ボタンフレームと回転フレームに第１及び第２掛け止め突起を形成して掛け止めするようにすることによって、上記の内容物容器を回転させて裏返すために容器本体から支持体を持ち上げる際、上記回転フレームの第２掛け止め突起がボタンフレームの第１掛け止め突起に掛け止めされることで、上記回転フレームが自動的に一定の角度だけ回転するようにすることにより、使用の利便性を向上させた、内容物容器を回転させて裏返すことができるコンパクト容器を提供するのに目的がある。
【００１８】
また、回転（反転）フレームの上部及び下部に、それぞれ第１内容物ふた及び第１内容物ふたを組み付け、上記の第１及び第２の内容物ふたの一側に取っ手を形成するとともに、容器本体及びボタンフレームに、それぞれ、挿入ホール及び貫通ホール挿入ホール貫通ホールを形成して上記第１及び第２の内容物ふたの取っ手が上記貫通ホールを貫いて挿入ホールに挿入されるようにすることによって、容器本体と第1,2内容物ふたの間に空いた空間ができるのを防止して、これに伴い、容器本体内部の空間を効率的に使用できる内容物容器を回転させて裏返すことができるコンパクト容器を提供するのに目的がある。
【００１９】
また、内容物容器の内部に仕切りを形成して、上記の内容物容器の内部空間を第１空間と第２空間に分割することによって、上記第１及び第２空間に、それぞれ異種の化粧料が含浸された含浸部材を内蔵して使用できるようにした、内容物容器を反転できるコンパクト容器を提供するのに目的がある。
【課題を解決するための手段】
【００２０】
本発明は容器本体(10);
上記容器本体(10)を開閉する容器ふた(20);
上記容器本体(10)の内側に組み付けられ、ボタン(32)が形成されたボタンフレーム(30);
上記容器本体(10)とヒンジ接続され、回転ホール(44)が形成された支持体(40);
回転軸(54)が形成され、上記支持体(40)の内側に回動可能に組み付けられる回転フレーム(50);
上記回転フレーム(50)の内側に互いに位置が固定されるように組み付けられる内容物容器(60);および
上記の内容物容器(60)の内部に受け入れられ、化粧料が含浸された含浸部材(70)を含み、
上記ボタンフレーム(30)には第1掛け止め突起(36)が形成され、上記回転フレーム(50)には第2掛け止め突起(56)が形成され、上記支持体(40)を持ち上げたならば第２掛け止め突起(56)が第１掛け止め突起(36)に掛け止めされて、上記回転フレーム(50)が自動的に一定の角度だけ回転することを特徴とする、内容物容器を回転させて裏返すことができるコンパクト容器を提供する。
【００２１】
また、上記容器本体(10)の前面には、ボタンフレーム(30)のボタン(32)が挿入されるボタン挿入ホール(12)が形成され、底部には取っ手挿入凹部(14)が形成されていることを特徴とする。
【００２２】
また、上記ボタンフレーム(30)底部には取っ手挿入ホール(34)が形成されていることを特徴とする。
【００２３】
また、上記回転フレーム(50)の上部及び下部には、それぞれ、第１内容物ふた(51)及び第２内容物ふた(52)が組み付けられることを特徴とする。
【００２４】
また、上記第１及び第２の内容物ふた(51,52)の一側には、それぞれ第１取っ手(512)及び第２取っ手(522)が形成されるとともに、上記第１及び第２の取っ手(512,522)のうち、いずれか一つは、ボタンフレーム(30)の取っ手挿入ホール(34)を貫いて容器本体(10)の取っ手挿入凹部(14)に差し込まれることを特徴とする。
【００２５】
また、上記回転フレーム(50)の側面は、回転フレーム(40)が支持体(30)の内側に容易に回転できるように、縦断面が円弧状またはアーチ状を成していることを特徴とする。
【００２６】
また、上記の内容物容器(60)内部に仕切り(63)が形成されて上記の内容物容器(60)の内部空間を第１空間(61)と第２空間(62)で分割するのを特徴とする。
【発明の効果】
【００２７】
本発明にしたがう内容物容器を回転できるコンパクト容器は、容器本体内部にボタンが一体に形成されたボタンフレームを組み付け、上記容器本体の内側に支持体をヒンジ接続して、上記支持体の内側に回転フレームを回転可能に組み付け、上記回転フレームの内側に含浸部材が内蔵された内容物容器を互いの位置が固定されるように組み付けるとともに、上記ボタンフレームと回転フレームに、第１及び第２の掛け止め突起を形成して掛け止めされるようにする。このようにすることで、上記の内容物容器を回転させるために容器本体から支持体を持ち上げる際、上記回転フレームの第２掛け止め突起が、ボタンフレームの第１掛け止め突起に掛け止めされることで、上記回転フレームが自動的に一定の角度だけ回転するようにして、使用の利便性を向上させるという効果がある。
【００２８】
また、本発明にしたがう内容物容器を回転できるコンパクト容器は、回転フレームの上部と下部に第１内容物ふたと第２内容物ふたを組み付け、上記第１及び第２の内容物ふたの一側に取っ手を形成するとともに、容器本体及びボタンフレームに、それぞれ挿入ホール及び貫通ホールを形成することで、上記第１及び第２の内容物ふたの取っ手が上記貫通ホールを貫いて挿入ホールに挿入されるようにすることによって、容器本体と第１及び第２の内容物ふたの間に空いた空間ができるのを防止するのであり、これにより、容器本体内部の空間を効率的に使うことができる。
【００２９】
また、本発明にしたがう内容物容器を回転できるコンパクト容器は、内容物容器の内部に仕切りを形成して、上記の内容物容器の内部空間を第１空間と第２空間とに分割することによって、上記第１空間及び第２空間に、それぞれ異種の化粧料が含浸された含浸部材を内蔵して使用できる効果がある。
【図面の簡単な説明】
【００３０】
【図１】第１の従来技術（韓国特許10-1257628）の化粧品容器を示す一組の写真である。化粧料組成物が発泡ウレタン フォームに含浸されている。
【図２】第２の従来技術（韓国登録実用新案20-0476245）の化粧品用コンパクト・ケースを示す縦断面図である。
【図３】本発明による、内容物容器を反転できるコンパクト容器の斜視図である。
【図４】本発明による、内容物容器を反転できるコンパクト容器の分解斜視図である。
【図５】本発明による、内容物容器を反転できるコンパクト容器についての、図３のA-A線に沿った縦断面図である。
【図６】本発明による、内容物容器を反転できるコンパクト容器についての、図３のB-B線に沿った縦断面図である。
【図７】本発明による、内容物容器を反転できるコンパクト容器における、支持体を持ち上げた様子を示す分解斜視図である。
【図８】本発明による、内容物容器を反転できるコンパクト容器における、支持体を持ち上げた様子を示すB-B断面図である。
【図９】本発明による、内容物容器を反転できるコンパクト容器における、回転フレームを回転させる様子を示す分解斜視図である。
【発明を実施するための形態】
【００３１】
以下、本発明にしたがう、内容物容器を反転できるコンパクト容器について、添付された図面を参照して詳細に説明する。
【００３２】
図３は、本発明にしたがう、内容物容器を回転させて反転できるコンパクト容器の斜視図である。図４は、本発明にしたがう、内容物容器を回転させて反転できるコンパクト容器の斜視図である。図５は、本発明にしたがう、内容物容器を回転させて反転できるコンパクト容器のA-A断面図であり、図６は、本発明にしたがう、内容物容器を回転して反転できるコンパクト容器のB-B断面図である。
【００３３】
本発明にしたがう内容物容器を回転させて反転できるコンパクト容器は、容器本体(10)と;上記容器本体(10)を開閉する容器ふた(20)と;上記容器本体(10)の内側に組み付けられ、ボタン(32)が形成されたボタンフレーム(30)と;上記容器本体(10)とヒンジ接続され、回転ホール(44)が形成された支持体(40)と;回転軸(54)が形成されて上記支持体(40)の内側に回動回動可能に組みつけられた回転フレーム(50)と;上記回転フレーム(50)の内側に、互いに固定されるように組み付けられた内容物容器(60)と；上記の内容物容器(60)の内部に受け入れられて、化粧料が含浸された含浸部材(70)を含み、
上記ボタンフレーム(30)には第１掛け止め突起(36)が形成され、上記回転フレーム(50)には第２掛け止め突起(56)が形成され、上記支持体(40)が持ち上げられる際、第２掛け止め突起(56)が第１掛け止め突起(36)に掛け止めされて、上記回転フレーム(50)が自動的に一定の角度だけ回転することを特徴とする。
【００３４】
好ましい実施形態において、上記容器本体(10)は、上部が開放された扁平なカップ状であり、内側に、同様に扁平なカップ状のボタンフレーム(30)と、リング状の支持体(40)とが装着される。
【００３５】
上記容器本体(10)の周壁における、前面側には、ボタンフレーム(30)のボタン(32)が挿入されるボタン挿入ホール(12)が形成され、底壁には取っ手挿入凹部(14)が形成されている。
【００３６】
図示の実施形態において、取っ手挿入凹部(14)は、後述する取っ手(512,522)を受け入れるように、開口部が、取っ手挿入ホール(34)に対応する細長い矩形状であり、この長手方向に沿った縦断面が、湾入するアーチ状をなす。
【００３７】
上記容器本体(10)の周壁における、ボタン挿入ホール(12)の逆側には、容器ヒンジ部(18)が形成され、上記容器本体(10)内周面の内周面（周壁の内側面）にはボタンフレーム(30)が組み付けられる結合突起(15)が形成されている。
【００３８】
上記容器ふた(20)は、容器本体(10)の一側にヒンジ接続されて上記容器本体(10)を開閉するのであり、上記容器ふた(20)の一一側に突起形状のフック(25)が形成さる。容器ふた(20)の内面には、使用者が容易に化粧をできるように、鏡(22)を備えることができる。
【００３９】
上記容器ふた(20)におけるフック(25)とは逆の側には、ふたヒンジ部(28)が形成されて、容器本体(10)の容器ヒンジ部(18)と、ヒンジピン(17)によりヒンジ接続される。
【００４０】
上記ボタンフレーム(30)は、容器本体(10)の内側に組み付けられ、前面にボタン(32)が形成される。上記ボタン(32)は、ボタンフレーム(30)に一体に形成されるか、または、別体に形成されてボタンフレーム(30)に組み付けることができる。
【００４１】
上記ボタン(32)の上側には、使用者の押す動作によって容易に後退させられる、ふた掛け止め突起(325)が、突出形成され、容器ふた(20)のフック(25)と締結される。
【００４２】
上記ボタンフレーム(30)の底壁には、取っ手挿入ホール(34)が形成されており、上記取っ手挿入ホール(34)と隣接して掛け止め部(35)が上方へと延長形成される。
【００４３】
上記掛け止め部(35)の上部の一側には、第１掛け止め突起(36)が形成されており、上記第１掛け止め突起(36)は、第２掛け止め突起(56)へと向かって突出形成される。
【００４４】
すなわち、第１掛け止め突起(36)は、図示の実施形態において、先端部が、周方向に、回転軸(54)の側へと折れ曲げられた、鉤（かぎ）状をなしている。詳しくは、ボタンフレーム(30)の底壁から上方へと直線に延びるロッド部と、この先端部から前後方向に突出部(53)の側へとテーパー状に延びる掛け止め部とからなる。
【００４５】
上記ボタンフレーム(30)の外周面には、上部結合突起(37)と下部結合突起(38)が交互に形成されている。すなわち、互いに近接して、並んで形成されている。特には、周方向に並行して延びている。上記の上部結合突起(37)と下部結合突起(38)との間に、容器本体(10)の結合突起(15)が挟み込まれることで、上記ボタンフレーム(30)が容器本体(10)に、相互の位置関係を固定するように組み付けられる。
【００４６】
上記支持体(40)は、容器本体(10)の内部に、回動可能なようにヒンジ接続される。そして、上記支持体(40)の内側には、回転フレーム(50)が回動可能に組み付けられる。
【００４７】
上記支持体(40)の前面には、使用者が支持体(40)を容易に把持することができるように、支持体取っ手部(42)が形成される。
【００４８】
上記支持体取っ手部(42)の向い側には支持体ヒンジ部(48)が形成される。この支持体ヒンジ部(48)は、ふたヒンジ部(28)とともに、ヒンジピン(17)により容器ヒンジ部(18)にヒンジ接続される。
【００４９】
すなわち、共通の一つのヒンジピン(17)及びこれが差し込まれた容器ヒンジ部(18)を通じて、容器ふた(20)と、支持体(40)とが、容器本体(10)にヒンジ接続されて、それぞれの所定の角度範囲内で、容器本体(10)に対して回動可能となっている。
【００５０】
上記支持体(40)には、両側面に、一組の回転ホール(44)が形成される。
【００５１】
すなわち、リング状の支持体(40)における、中心軸を挟んだ両側、すなわち左右両端に、それぞれ回転ホール(44)が形成されている。図示の実施形態で、リング状の支持体(40)から、局所的に下方へと滑らかな湾入状をなすように突き出して、周方向及び中心軸方向に延びる壁部が、軸受け部として形成されており、この回転ホール(44)は、この壁部を放射方向に貫いている。また、図示の実施形態で、回転ホール(44)は、支持体ヒンジ部(48)から、中心軸まわりに約90度回転した位置に、それぞれ設けられる円形の貫通孔である。なお、回転ホール(44)は、非貫通孔であってもよい。
【００５２】
上記回転フレーム(50)は、図示の例でリング・バンド状ないしカラー(collar)状であり、その一部に設けられた回転軸(54)により、支持体(40)の内側に、回動可能に組み付けられる。
【００５３】
上記回転フレーム(50)の外周面には、中心軸を挟むように左右両端にそれぞれ、放射方向へと壇(stage)状に突き出す突出部(53)が形成されている。各突出部(53)の中央には、図示の例で、短円柱状に突き出す回転軸(54)が形成されており、これらが、それぞれ、支持体(40)の回転ホール(44)に挿入される。
【００５４】
上記突出部(53)の上部及び下部には、複数の第２掛け止め突起(56)が形成される。図４に示すように、突出部(53)の上部両側面と、下部両側面にそれぞれ形成しうる。
【００５５】
すなわち、図示の実施形態では、ほぼ矩形状である突出部(53)の四隅から、ほぼ、回転軸(54)から遠ざかる方向へと突き出して、第２掛け止め突起(56)が形成されている。図示の具体的な実施形態によると、突出部(53)は、上下及び左右に対称であり、上下の側面は湾入するアーチ状であり、前後（コンパクト容器の前後）の側面は、円弧状に膨出する部分と、その上下端にて前後にタブ状に突き出す部分とからなる。
【００５６】
図示の実施形態において、支持体(40)の前方端の支持体取っ手部(42)に指先を当てて、支持体(40)を、その後方端の支持体ヒンジ部(48)のまわりに回転させるようにして、ほんの少し持ち上げると、ボタンフレーム(30)の第１掛け止め突起(36)の先端にある掛け止め部が、回転フレーム(50)の第２掛け止め突起(56)に突き当たる。このように第２掛け止め突起(56)の箇所の上昇が一時的に阻害されるため、支持体取っ手部(42)をさらに少し持ち上げると、支持体(40)の前方部分が下方に取り残される。その結果、図７〜８に示すように、リング状の回転フレーム(50)が、リング状の支持体(40)内で、回転軸(56)を中心に、ある角度だけ回転する。この回転は、支持体(40)の回転とは逆方向の回転となる。
【００５７】
さらに支持体取っ手部(42)を持ち上げると、図８に示すように、第１掛け止め突起(36)と、第２掛け止め突起(56)との間の掛け止めが解除される。そのため、図８の状態、または、これよりさらに支持体取っ手部(42)を持ち上げた状態で、回転フレーム(50)の外周面に指を当てて、回転フレーム(50)を回転させて裏返すことができる。この後、支持体取っ手部(42)に押し当てていた指先を、徐々に下げて、支持体(40)及び回転フレーム(50)並びにこの中の内容物容器(60)を、裏表が反転した状態で、容器本体(10)及びボタンフレーム(30)の中に収めることができる。なお、第２掛け止め突起(56)は、突出部(53)の前方下端及び後方上端にのみ設けても良いが、図示の実施形態のようであるならば、組み付けの際に、左右方向をどのようにしても良いので、組立ての手間を省くことができる。
【００５８】
図７は、本発明にしたがう、内容物容器を回転させて裏返すことができるコンパクト容器についての、支持体が持ち上げられた様子を示す斜視図である。図８は、本発明にしたがう、内容物容器を回転させて裏返すことができるコンパクト容器についての、支持体が持ち上げられた様子を示すC-C断面図である。
【００５９】
すなわち、内容物容器(60)を回転させるために、容器本体(10)から支持体(40)を持ち上げれば、上記支持体(40)は、容器本体(10)の容器ヒンジ部(18)に差し込まれたヒンジピン(17)を軸に、上部へと回動する。ここで、図７及び８に示すように、回転フレーム(50)の第２掛け止め突起(56)がボタンフレーム(30)の第１掛け止め突起(36)に掛け止めされることで、上記回転フレーム(50)が、一定区間の間、支持体(40)とは逆向きに回動することで、上記の回転フレーム(50)と支持体(40)とは、回転位置がずれることになり、図８の縦断面では、互いに交差することになる。
【００６０】
したがって、使用者は、支持体(40)を上方に持ち上げる動作だけで、回転フレーム(50)を一定の角度だけ回転させることができる。
【００６１】
すなわち、上記の従来技術のように回転フレーム(50)の上部一側を指で押して上記回転フレーム(50)を支持体(40)から直接回転させなくても、支持体(40)を持ち上げさえすれば、回転フレーム(50)の第２掛け止め突起(56)が、ボタンフレーム(30)の第１掛け止め突起(36)に掛け止めされて、上記回転フレーム(50)が自動的に回転することとなり、使用の利便性が向上する。
【００６２】
上記回転フレーム(50)の内周面には、内容物容器(60)を組み付けるための締結リング突起(57)が形成される。
【００６３】
上記回転フレーム(50)の上部及び下部には、それぞれ第１内容物ふた(51)及び第２内容物ふた(52)が組み付けられる。上記第１内容物ふた(51)は、内容物容器(60)の第１空間(61)を密閉する役割を果たし、上記第２内容物ふた(52)は、内容物容器(60)の第２空間(62)を密閉する役割を果たす。
【００６４】
上記第１及び第２の内容物ふた(51,52)の一側には、それぞれ第１取っ手(512)及び第2取っ手(522)が形成されており、上記第１及び第２の取っ手(512,522)のうち、いずれか一方は図５に示すように、ボタンフレーム(30)の取っ手挿入ホール(34)を貫いて容器本体(10)の取っ手挿入凹部(14)に挿入される。
【００６５】
図示の実施形態において、取っ手(512,522)は、いずれも、内容物ふた(51,52)におけるヒンジ部とは逆の端部から、上下方向に突き出す、外縁が円弧状の本体部と、その先端部から放射方向に突き出して水平方向に延びる突条部とからなる。
【００６６】
したがって、上記容器本体(10)の底面と第１内容物ふた(51)または、第2内容物ふた(52)の間に空いた空間ができるのを防止して容器本体内部の空間を効率的に使用できることになる。
【００６７】
上記回転フレーム(50)の外周面、特には前後の側面は、図６中の拡大部分などに示すように、回転フレーム(40)が、支持体(30)の内側にて容易に回転できるようにすべく、縦断面にて、「(」の形状といった、円弧状またはアーチ状をなしている。
【００６８】
上記の内容物容器(60)は、回転フレーム(50)の内側に、相互の位置が固定されるように組み付けられ、上記の内容物容器(60)の内部には、化粧料が含浸された含浸部材(70)が受け入れられる。
【００６９】
上記の内容物容器(60)の内部に水平壁としての仕切り(63)を形成することにより、上記の内容物容器(60)の内部空間を、図５にて上方の第１空間(61)と、下方の第２空間(62)とに分割することができる。また、上記第１空間(61)の内部と、第2空間(62)内部とには、それぞれ異種の化粧料が含浸された含浸部材(70)が、受け入れられうる。
【００７０】
上記の内容物容器(60)には、仕切り(63)から上方へと延長形成された第１内壁(612)と、上記第１内壁(612)より外側に一定の間隔だけ離隔して、上方へと延長形成された第１外壁(614)とが形成されている。さらに、仕切り(63)から下方へと延長形成された第２内壁(622)と、上記第２内壁(622)より外側に一定の間隔だけ離隔して下方へと延長形成された第２外壁(624)とが形成されている。
【００７１】
図示の実施形態においては、第１内壁(612)と第２内壁(622)とが、平面図にて同一の位置にあり、仕切り(63)の面に対して、対称をなすように形成されている。同様に、第１外壁(614)と第２外壁(624)とが、平面図にて同一の位置にあり、仕切り(63)の面に対して、対称をなすように形成されている。したがって、第１内壁(612)と第２内壁(622)とは、連続した一つの壁部をなす。同様に、第１外壁(614)と第２外壁(624)とは、一つの連続した壁部をなすとともに、一つの円筒状の外周面をなす。
【００７２】
上記の内容物容器(60)の第１及び第２の内壁(612,622)には、内容物容器(60)の内部に受け入れられた含浸部材(70)が、外部へと離脱するのを防止するための、第１固定具(81)及び第２固定具(82)を、上方及び下方から、それぞれ組み付けることができる。
【００７３】
また、上記第１及び第２の内容物ふた(51,52)には、それぞれ、下方へと突き出す第１密閉リング突起(514)、及び、上方へと突き出す第２密閉リング突起(524)が形成される。上記第１密閉リング突起(514)は、内容物容器(60)の第1外壁(614)の内周面に密着し、上記第２密閉リング突起(524)は内容物容器(60)の第2外壁(624)の内周面に密着する。
【００７４】
図示の実施形態において、第１固定具(81)及び第２固定具(82)は、形状及び寸法などが、互いに同一であり、(i)外壁(614,624)と内壁(612,622)との間に挿入される根元部と、(ii)密閉リング突起(514,524)の傾斜した内側面に突き合わされるショルダー部と、(iii)含浸部材(70)の周縁部またはショルダー部に突き合わされるフランジ部と、からなる。
【００７５】
上記の内容物容器(60)の外周面には、上部締結突起(67)と下部締結突起(68)とが、周方向に交互に形成される。これらの上部締結突起(67)と下部締結突起(68)との間に、回転フレーム(50)の締結リング突起が(57)が挟み込まれることで、上記の内容物容器(60)が回転フレーム(50)に、相互の位置が固定されるようにして、組み付けられる。
【００７６】
すなわち、上部締結突起(67)と下部締結突起(68)とは、互いに近接して設けられるとともに、周方向へと互いに位置をずらして配置され、特には、平面図にて互いに重ならない位置に設けられる。図示の実施形態において、上部締結突起(67)及び下部締結突起(68)の対は、約９０度ずつ周方向に位置をずらして、４つが設けられており、各締結突起(67,68)は、四角錐台形をなす。
【００７７】
上記の通りに構成された、内容物容器を回転させて裏返すことができるコンパクト容器についての組み立て方法を説明するならば、次のとおりである。
【００７８】
本発明にしたがう、内容物容器を回転できるコンパクト容器を組み立てるためには、図４〜６に示すように、まず、回転フレーム(50)の内側に、内容物容器(60)を組み付けて、上記の内容物容器(60)における上部締結突起(67)と下部締結突起(68)との間に、回転フレーム(50)の締結リング突起が(57)が挟み込まれるようにする。
【００７９】
次に、上記の内容物容器(60)の第１空間(61)の内側に化粧料が含浸された含浸部材(70)を差し込んでから、第１固定具(81)を第１内壁(612)に組み付ける。この後、上記の内容物容器(60)をひっくり返し、第2空間(62)の内側に、異種の化粧料が含浸された含浸部材(70)を差し込んでから、第２固定具(82)を第２内壁(622)に組み付ける。
【００８０】
次に、上記回転フレーム(50)の上部及び下部に、それぞれ、第１内容物ふた(51)及び第２内容物ふた(52)を、ヒンジ接続する。
【００８１】
図示の実施形態において、回転フレーム(50)の左右一対の突出部(53)のうち、一方のものの上方及び下方にヒンジピンを受け入れるヒンジ部が設けられており、容器ふた(20)が後方へと回転して開かれた状態で、左右方向に内容物ふた(51,52)を回転させて開くことができる。
【００８２】
次に、上記回転フレーム(50)を支持体(40)の内側に組み付けるのであるが、上記回転フレーム(50)の回転軸(54)が、支持体(40)の回転凹部(44)に挿入されるようにする。
【００８３】
次に、容器本体(10)内側にボタンフレーム(30)を結合するのであるが、上記ボタンフレーム(30)の上部結合突起(37)と下部結合突起(38)との間に、容器本体(10)の結合突起(15)が挟まれるようにする。
【００８４】
次に、上記容器本体(10)の容器ヒンジ部(18)に、ヒンジピン(17)を用いて、容器ふた(20)のふたヒンジ部(28)と、支持体(40)の支持体ヒンジ部(48)とを、回動可能なようにヒンジ接続する。
【００８５】
最後に、上記支持体(40)と第１内容物ふた(51)を押して第２内容物ふた(52)の第２取っ手(522)がボタンフレーム(30)の取っ手挿入ホール(34)を貫くことで、容器本体(10)の取っ手挿入凹部(14)に挿入されるようにして、回転フレーム(50)の第２掛け止め突起(56)がボタンフレーム(30)の第１掛け止め突起(36)に掛け止めされるようにすることによって、本発明にしたがう、内容物容器を回転させて裏返すことができるコンパクト容器の組み立てを完了する。
【００８６】
上記のような方法で組み立てられた、内容物容器を回転させて裏返すことができるコンパクト容器についての使用方法を説明するならば次のとおりである。
【００８７】
図９は、本発明にしたがう、内容物容器を回転させて裏返すことができるコンパクト容器についての、回転フレームを回転させる様子を示す斜視図である。
【００８８】
本発明にしたがう、内容物容器を回転させて裏返すことができるコンパクト容器を使用するためには、まずボタン(32)を押圧して、容器本体(10)から容器ふた(20)を開放する。
【００８９】
この後、内容物容器(60)上部に形成された第１内容物ふた(51)の第１取っ手(512)をとらえて回動させて上記の内容物容器(60)から第１内容物ふた(51)を開放した後、パフといった化粧道具で内容物容器(60)内部に受け入れられた含浸部材(70)をとって皮膚にまんべんなく塗る。
【００９０】
化粧が終わった後には上記第１内容物ふた(51)を回動させて内容物容器(60)を閉じてから、上記容器ふた(20)を回動させて容器本体(10)を閉じる。
【００９１】
本発明にしたがう、内容物容器を回転させて裏返すことができるコンパクト容器にて、含浸部材(70)に含浸された化粧料を全て用い尽くして含浸部材(70)が乾燥することで固まってしまった場合や、異種の化粧料が含浸された含浸部材(70)を使おうとする場合には、内容物容器(60)をひっくり返して使うこととなる。この際、まず、図７及び図８で示すように、支持体(40)の支持体取っ手部(42)を掴（つか）んで、上記支持体(40)を持ち上げ、上記支持体(40)を上部へと回動させる。
【００９２】
この際、図７中の右下の拡大部分に示すように、回転フレーム(50)の第２掛け止め突起(56)が、ボタンフレーム(30)の第１掛け止め突起(36)に掛け止めされることで、上記回転フレーム(50)が一定の区間の間、支持体(40)の回動とは反対の方向へと回動する。そのため、上記回転フレーム(50)と支持体(40)とは、回転位置が互いにずれるのであり、回転軸の方向（コンパクト容器の左右方向）からみて、互いに交差するように延びることになる。
【００９３】
この後、上記回転フレーム(50)をつかんで、図９に示すように回転フレーム(50)を、支持体(40)の回転ホール(44)を中心に回転させることにより、内容物容器(60)をひっくり返す。
【００９４】
最後に、上記支持体(40)と、第２内容物ふた(52)を下方へと押すことで、第１内容物ふた(51)の第１取っ手(512)が、ボタンフレーム(30)の取っ手挿入ホール(34)を貫いて容器本体(10)の取っ手挿入凹部(14)に差し込まれるようにする。このようにして、回転フレーム(50)の第２掛け止め突起(56)が、ボタンフレーム(30)の第１掛け止め突起(36)に掛け止めされるようにする。
【００９５】
以上の本発明についての説明は、内容物容器を回転できるコンパクト容器を実施するための一つの実施例に過ぎず、本発明は上記実施例に限定されるのではない。添付された請求の範囲にて請求するように、本発明の要旨を逸脱することなしに、当該発明が属する分野にて通常の知識を持った者ならば誰しも多様な変更実施が可能であるという範囲まで、本発明の範囲に属するものと見なすべきであろう。
【符号の説明】
【００９６】
10:容器本体  
14:取っ手挿入凹部  
17:ヒンジピン  
18:容器ヒンジ部  
20:容器ふた    
28:ふたヒンジ部  
30:ボタンフレーム  
32:ボタン  
34:取っ手挿入ホール  
36:第１掛け止め突起  
40:支持体  
42:支持体取っ手部  
44:回転ホール  
48:支持体ヒンジ部  
50:回転フレーム  
51:第１内容物ふた  
52:第２内容物ふた  
54:回転軸  
56:第２掛け止め突起  
60:内容物容器  
61:第１空間  
62:第２空間  
70:含浸部材  
81:第１固定具  
82:第２固定具
【図１】
0006360234.tif 000002
【図２】
0006360234.tif 000003
【図３】
0006360234.tif 000004
【図４】
0006360234.tif 000005
【図５】
0006360234.tif 000006
【図６】
0006360234.tif 000007
【図７】
0006360234.tif 000008
【図８】
0006360234.tif 000009
【図９】
0006360234.tif 000010